(57)【要約】【課題】本発明は、全白画面に偏色現象が発生すること防止できる液晶表示装置及びその駆動方法を提供することを目的とする。【解決手段】本発明に係る液晶表示装置は、データ処理器と、液晶表示パネルと、画像データを受信し且つ前記画像データが全白画面であるか否かを判断する制御回路と、前記制御回路に画像修正データを出力するグレースケール修正回路と、を備え、前記画像データが非全白画面である場合、前記制御回路は前記画像データを前記データ処理器に直接出力し、前記画像データが全白画面である場合、前記制御回路は前記画像修正データを前記データ処理器に出力し、前記データ処理器は、前記制御回路が出力した前記画像データ又は前記画像修正データに基づいてグレースケール電圧を生成し、前記グレースケール電圧は前記液晶表示パネルに提供される。【選択図】図１
2011085911.tif 000002
【特許請求の範囲】
【請求項１】
データ処理器と、液晶表示パネルと、画像データを受信し且つ前記画像データが全白画面であるか否かを判断する制御回路と、前記制御回路に画像修正データを出力するグレースケール修正回路と、を備えてなる液晶表示装置であって、
前記画像データが非全白画面である場合、前記制御回路は前記画像データを前記データ処理器に直接出力し、前記画像データが全白画面である場合、前記制御回路は前記画像修正データを前記データ処理器に出力し、
前記データ処理器は、前記制御回路が出力した前記画像データ又は前記画像修正データに基づいてグレースケール電圧を生成し、前記グレースケール電圧は前記液晶表示パネルに提供されることを特徴とする液晶表示装置。
【請求項２】
前記制御回路は、データ分析器及びセレクターを備え、
前記データ分析器は、前記画像データが全白画面であるか否かを判断し、前記画像データが非全白画面である場合、第一制御信号を前記セレクターに出力し、前記画像データが全白画面である場合、第二制御信号を前記セレクターに出力し、
前記セレクターが第一制御信号を受信した場合、前記画像データを前記データ処理器に提供し、前記セレクターが第二制御信号を受信した場合、前記画像修正データを前記データ処理器に提供することを特徴とする請求項１に記載の液晶表示装置。
【請求項３】
前記制御回路は、データラッチをさらに備え、
前記データラッチは、受信した画像データを一時的に記憶し且つ順に前記画像データを前記データ分析器に出力することを特徴とする請求項２に記載の液晶表示装置。
【請求項４】
前記セレクターは、マルチプレクサであることを特徴とする請求項２に記載の液晶表示装置。
【請求項５】
前記画像修正データは、前記液晶表示装置の実際色度値、前記実際色度値が位置する色度領域の４つの境界色座標及び各々の境界色座標に対応する予め設定された修正グレースケールに基づいて計算して獲得されることを特徴とする請求項２に記載の液晶表示装置。
【請求項６】
前記グレースケール修正回路は、第一記憶素子、第二記憶素子及び計算ユニットを備え、
前記第一記憶素子には、前記液晶表示装置の実際色度値が記憶されており、
前記第二記憶素子には、各々の色度領域に対応する４つの境界色座標及び各々の境界色座標に対応する４つの予め設定された修正グレースケールが記憶されており、
前記計算ユニットは、内部に設定されている画像データ修正公式で、前記色度値、前記色度値が位置する色度領域の４つの境界座標及び各々の境界座標に対応する予め設定された修正グレースケールに基づいて、全白画面の画像修正データを計算することを特徴とする請求項５に記載の液晶表示装置。
【請求項７】
前記グレースケール修正回路は、出力ユニットをさらに備え、
前記出力ユニットは、前記画像修正データを前記処理器に出力することを特徴とする請求項６に記載の液晶表示装置。
【請求項８】
前記画像修正データは、赤色画像修正データ、緑色画像修正データ及び青色画像修正データを含み、
前記赤色画像修正データ、前記緑色画像修正データ及び前記青色画像修正データの中の少なくとも１つのデータが修正されることを特徴とする請求項６に記載の液晶表示装置。
【請求項９】
前記赤色画像修正データ、前記緑色画像修正データ及び前記青色画像修正データは、以下の色度修正公式を満足することを特徴とする請求項８に記載の液晶表示装置。
【数１】
2011085911.tif 000010
（その中で、Ｒは赤色画像修正データであり、Ｇは緑色画像修正データであり、Ｂは青色画像修正データであり、ｒ１、ｒ２、ｒ３、ｒ４は、それぞれ４つの境界色座標と前記実際色度値との距離を指し、Ｒ１、Ｒ２、Ｒ３、Ｒ４は、それぞれ４つの境界色座標に対応する予め設定された修正グレースケールにおける赤色修正グレースケールを指し、Ｇ１、Ｇ２、Ｇ３、Ｇ４は、それぞれ４つの境界色座標に対応する予め設定された修正グレースケールにおける緑色修正グレースケールを指し、Ｂ１、Ｂ２、Ｂ３、Ｂ４は、それぞれ４つの境界色座標に対応する予め設定された修正グレースケールにおける青色修正グレースケールを指す）
【請求項１０】
前記赤色画像修正データ、前記緑色画像修正データ及び前記青色画像修正データは、以下の色度修正公式を満足することを特徴とする請求項８に記載の液晶表示装置。
【数２】
2011085911.tif 000011
（その中で、Ｒは赤色画像修正データであり、Ｇは緑色画像修正データであり、Ｂは青色画像修正データであり、ｒ１、ｒ２、ｒ３、ｒ４は、それぞれ４つの境界色座標と前記実際色度値との距離を指し、Ｒ１、Ｒ２、Ｒ３、Ｒ４は、それぞれ４つの境界色座標に対応する予め設定された修正グレースケールにおける赤色修正グレースケールを指し、Ｂ１、Ｂ２、Ｂ３、Ｂ４は、それぞれ４つの境界色座標に対応する予め設定された修正グレースケールにおける青色修正グレースケールを指す）
【請求項１１】
前記グレースケール修正回路は、第三記憶素子に備え、
前記第三記憶素子は、前記画像修正データを記憶することを特徴とする請求項２に記載の液晶表示装置。
【請求項１２】
前記液晶表示装置は、前記液晶表示装置の実際色度値を検出し且つ前記色度値を前記グレースケール修正回路に出力する色度検出回路をさらに備え、
前記グレースケール修正回路は、第四記憶素子、計算ユニット及び出力ユニットを備え、
前記第四記憶素子には、各々の色度領域に対応する４つの境界色座標及び各々の境界色座標に対応する４つの予め設定された修正グレースケールが記憶されており、
前記計算ユニットは、前記色度値、前記色度値が位置する色度領域の４つの境界座標及び各々の境界座標に対応する予め設定された修正グレースケールに基づいて、全白画面の画像修正データを計算し、
前記出力ユニットは、前記画像修正データを前記処理器に出力することを特徴とする請求項２に記載の液晶表示装置。
【請求項１３】
画像データが全白画面であるか否かを判断するステップと、
前記画像データが非全白画面である場合、前記画像データに対して処理を行い、前記画像データが全白画面である場合、画像修正データを提供し、且つ前記画像修正データに対して処理を行い、その中で、前記画像修正データは、前記液晶表示装置の実際色度値、前記実際色度値が位置する色度領域の４つの境界色座標及び各々の境界色座標に対応する予め設定された修正グレースケールに基づいて計算して獲得されるステップと、
を含むことを特徴とする液晶表示装置の駆動方法。
【請求項１４】
前記画像データ又は前記画像修正データに対して処理を行うことは、前記画像データ又は前記画像修正データをグレースケール電圧に変換すると共に他の表示駆動信号を生成して、画面の表示を実現することを含むことを特徴とする請求項１３に記載の液晶表示装置の駆動方法。
【請求項１５】
前記画像修正データは、赤色画像修正データ、緑色画像修正データ及び青色画像修正データを含み、
前記赤色画像修正データ、前記緑色画像修正データ及び前記青色画像修正データの中の少なくとも１つのデータを修正することを特徴とする請求項１３に記載の液晶表示装置の駆動方法。
【請求項１６】
前記赤色画像修正データ、前記緑色画像修正データ及び前記青色画像修正データは、以下の色度修正公式を満足することを特徴とする請求項１５に記載の液晶表示装置の駆動方法。
【数３】
2011085911.tif 000012
（その中で、Ｒは赤色画像修正データであり、Ｇは緑色画像修正データであり、Ｂは青色画像修正データであり、ｒ１、ｒ２、ｒ３、ｒ４は、それぞれ４つの境界色座標と前記実際色度値との距離を指し、Ｒ１、Ｒ２、Ｒ３、Ｒ４は、それぞれ４つの境界色座標に対応する予め設定された修正グレースケールにおける赤色修正グレースケールを指し、Ｇ１、Ｇ２、Ｇ３、Ｇ４は、それぞれ４つの境界色座標に対応する予め設定された修正グレースケールにおける緑色修正グレースケールを指し、Ｂ１、Ｂ２、Ｂ３、Ｂ４は、それぞれ４つの境界色座標に対応する予め設定された修正グレースケールにおける青色修正グレースケールを指す）
【請求項１７】
前記赤色画像修正データ、前記緑色画像修正データ及び前記青色画像修正データは、以下の色度修正公式を満足することを特徴とする請求項１５に記載の液晶表示装置の駆動方法。
【数４】
2011085911.tif 000013
（その中で、Ｒは赤色画像修正データであり、Ｇは緑色画像修正データであり、Ｂは青色画像修正データであり、ｒ１、ｒ２、ｒ３、ｒ４は、それぞれ４つの境界色座標と前記実際色度値との距離を指し、Ｒ１、Ｒ２、Ｒ３、Ｒ４は、それぞれ４つの境界色座標に対応する予め設定された修正グレースケールにおける赤色修正グレースケールを指し、Ｂ１、Ｂ２、Ｂ３、Ｂ４は、それぞれ４つの境界色座標に対応する予め設定された修正グレースケールにおける青色修正グレースケールを指す）
【発明の詳細な説明】
【技術分野】
【０００１】
本発明は、液晶表示装置及びその駆動方法に関するものである。
【０００２】
液晶自体が非発光材料であるから、表示機能を実現するためにバックライトのような光源装置を必要とする。
【０００３】
近来、光電産業の発展に従って、発光ダイオードは、小型、高輝度、低消費電力、長寿命である等の利点を有することから、液晶表示装置のバックライトの光源として広く用いられている。その中で、白色発光ダイオードがより普遍的に用いられている。
【０００４】
白色発光ダイオードは、一般的に、発光チップ及び蛍光粉末を含んでいるパッケージを備える。前記発光チップから出射された光が前記パッケージに含まれた蛍光粉末を激励して白色の光を生じる。白色発光ダイオードの量産及び技術制限により、白色発光ダイオードの色度には常に差異が存在している（例えば、青色に傾くか、黄色に傾くこと）。業界では、色度を色度座標系で定義し、且つ白色発光ダイオードの色度に基づいて色度座標系を複数の色度領域に区画する。同じ色度領域の白色発光ダイオードの色度は近接し、異なる色度領域の白色発光ダイオードの色度の差異が比較的大きい。
【０００５】
液晶表示装置のバックライドにおいて、第一色度領域の複数の白色発光ダイオードを光源として採用する時と、第二色度領域の複数の白色発光ダイオードを光源として採用する時とでは、色彩の表現が異なる。複数の色度領域において、ただ１つ又は２つの色度領域の白色発光ダイオードのみを液晶表示パネルと組み合わせる時の色彩の表現が比較的優れ、他の色度領域の白色発光ダイオードを液晶表示パネルと組み合わせる時には、全白画面に偏色現象が発生する（例えば、青色に傾くか、黄色に傾くこと）。従って、液晶表示装置の表示効果に悪い影響を与える。
【発明の概要】
【発明が解決しようとする課題】
【０００６】
以上の問題点に鑑みて、本発明は、全白画面に偏色現象が発生することを防止できる液晶表示装置及びその駆動方法を提供することを目的とする。
【課題を解決するための手段】
【０００７】
以上の問題点に鑑みて、本発明に係る液晶表示装置は、データ処理器と、液晶表示パネルと、画像データを受信し且つ前記画像データが全白画面であるか否かを判断する制御回路と、前記制御回路に画像修正データを出力するグレースケール修正回路と、を備え、前記画像データが非全白画面である場合、前記制御回路は前記画像データを前記データ処理器に直接出力し、前記画像データが全白画面である場合、前記制御回路は前記画像修正データを前記データ処理器に出力し、前記データ処理器は、前記制御回路が出力した前記画像データ又は前記画像修正データに基づいてグレースケール電圧を生成し、前記グレースケール電圧は前記液晶表示パネルに提供される。
【０００８】
また、本発明に係る液晶表示装置の駆動方法は、画像データが全白画面であるか否かを判断するステップと、前記画像データが非全白画面である場合、前記画像データに対して処理を行い、前記画像データが全白画面である場合、画像修正データを提供し、且つ前記画像修正データに対して処理を行い、その中で、前記画像修正データは、前記液晶表示装置の実際色度値、前記実際色度値が位置する色度領域の４つの境界色座標及び各々の境界色座標に対応する予め設定された修正グレースケールに基づいて計算して獲得されるステップと、を含む。
【発明の効果】
【０００９】
従来の技術に比べると、本発明に係る液晶表示装置及びその駆動方法において、画像データが全白画面である場合、グレースケール修正回路は画像修正データをデータ処理器に出力し、前記データ処理器は前記画像修正データに基づいてグレースケール電圧及び他の表示駆動信号を出力して、液晶表示パネルの表示を実現する。即ち、前記実際色度値が規定された色度領域に所属しない場合、データ及び前記データに対応する各グレースケール電圧を修正することを通して、液晶表示装置の赤色画像、緑色画像、青色画像の混光比例を改変して、全白画面の偏色現像を改善する。
【図面の簡単な説明】
【００１０】
【図１】本発明の第一実施例に係る液晶表示装置の回路のブロック図である。
【図２】色度座標系の定義下での白色発光ダイオードの色度領域の区画を示す図である。
【図３】図２に示した液晶表示装置の駆動方法のフローチャートである。
【図４】本発明の第二実施例に係る液晶表示装置の回路のブロック図である。
【図５】本発明の第三実施例に係る液晶表示装置の回路のブロック図である。
【発明を実施するための形態】
【００１１】
以下、図面に基づいて、本発明に係る液晶表示装置及びその駆動方法について詳細に説明する。
【００１２】
図１は、本発明の第一実施例に係る液晶表示装置の回路のブロック図である。図１を参照すると、本発明に係る液晶表示装置１は、液晶表示パネル１０、制御回路１１、グレースケール修正回路１２及びデータ処理器１３を備える。
【００１３】
前記制御回路１１は、表示画面のグレースケールである画像データ（ＧＲＢ  ｄａｔａ）を受信してから、前記画像データが全白画面であるか否かを判断し、前記画像データが非全白画面である時、前記画像データを前記データ処理器１３に出力する。前記グレースケール修正回路１２は、前記画像データが全白画面である時、前記データ処理器１３に画像修正データを出力する。前記データ処理器１３は、受信した画像データ又は画像修正データをグレースケール電圧に変換し且つ他の表示駆動信号を生成し、且つ前記グレースケール電圧及び複数の表示駆動信号を前記液晶表示パネル１０に出力して、前記液晶表示パネル１０に画面を表示させる。
【００１４】
前記制御回路１１は、データラッチ１１１、データ分析器１１２及びセレクター１１３を備える。
【００１５】
前記データラッチ１１１は、受信した画像データを一時的に記憶し且つ前記画像データを前記データ分析器１１２に順次に出力する。前記データ分析器１１２は、前記画像データが全白画面であるか否かを判断し、前記画像データが非全白画面である時、前記セレクター１１３に第一制御信号を出力し、前記画像データが全白画面である時、前記セレクター１１３に第二制御信号を出力する。前記セレクター１１３は、前記第一制御信号を受信した時、前記画像データを前記データ処理器１３に提供する。前記セレクター１１３は、マルチプレクサ（Ｍｕｌｔｉｐｌｅｘｅｒ）であることができる。
【００１６】
前記グレースケール修正回路１２は、第一記憶素子１２１、第二記憶素子１２２、計算ユニット１２３及び出力ユニット１２４を備える。
【００１７】
図２は、色度座標系の定義下での白色発光ダイオードの色度領域の区画を示す図であり、前記色度座標系には、Ｆ１、Ｇ１、Ｈ、Ｉ、Ｊ１及びＭ、Ｎ、Ｏ、Ｐ、Ｑ、Ｒの１１個の色度領域が区画されている。各々の色度領域は、略平行四辺形であり、４つの境界色座標を含む。例えば、色度領域Ｊ１の４つの境界色座標は、Ａｊ（Ｘａｊ，Ｙａｊ）、Ｂｊ（Ｘｂｊ，Ｙｂｊ）、Ｃｊ（Ｘｃｊ，Ｙｃｊ）、Ｄｊ（Ｘｄｊ，Ｙｄｊ）である。
【００１８】
前記第一記憶素子１２１には、色度値が記憶されている。前記色度値は、前記液晶表示装置１が全白画面を表示し且つ前記全白画面である画像データが修正されない時に、測色計（Ｃｏｌｏｒｉｍｅｔｅｒ）で測定して獲得した前記全白画面の色度座標（Ｘ０，Ｙ０）である。前記色度値は、前記液晶表示装置１の製造過程又はテスト過程で獲得されることができる。前記液晶表示装置１が全白画面を表示し且つ前記全白画面の画像データが修正されない時に前記色度値を測定して獲得するので、前記色度値を前記液晶表示装置１の実際色度値とすることができる。前記実際色度値は、前記液晶表示装置１のバックライトに、どのような色度領域の白色発光ダイオードを採用するかに関連する。通常、前記色度値が規定された色度領域に所属しない場合、前記液晶表示装置１の全白画面には偏色現像が存在する。
【００１９】
前記第二記憶素子１２２には、各々の色度領域に対応する４つの境界色座標及び各々の境界色座標に対応する４つの予め設定された修正グレースケールが記憶されている。前記複数の色度領域の数量は、実際要求に基づいて決定される。例えば、前記第一記憶素子１２１における色度値が第一色度領域及び第二色度領域のみで変化することが確定される場合、前記第二記憶素子１２２には、前記第一色度領域及び前記第二色度領域とそれぞれ前記第一色度領域及び前記第二色度領域に対応する境界色座標のみが記憶される。
【００２０】
各々の予め設定された修正グレースケールは、赤色修正グレースケール、青色修正グレースケール及び緑色修正グレースケールを含む。表示装置の実際色度値が前記境界色座標に位置される場合、前記赤色修正グレースケール、前記青色修正グレースケール及び前記緑色修正グレースケールを加えて、前記液晶表示装置の偏色現像のグレースケール値をちょうど除去する。具体に言えば、全白画面の表示をために表示パネルに加えた赤色グレースケール、青色グレースケール及び緑色グレースケールが全て２５５グレースケールであり、表示装置の実際色度値が前記色度領域Ｊ１の境界色座標Ａｊ点に位置する場合には、前記表示装置の全白画面に偏色現像が発生し、表示装置の実際色度値が前記色度領域Ｈの任意の点に位置する場合には、前記表示装置の全白画面に偏色現像が発生しないと仮定すれば、前記表示装置が全白画面を表示する時、前記境界色座標Ａｊ点に対応する赤色修正グレースケール、青色修正グレースケール及び緑色修正グレースケールを加えれば、前記表示装置の偏色現像がちょうど除去される。即ち、赤色修正グレースケール、青色修正グレースケール及び緑色修正グレースケールを加えた後、前記表示装置の色度値を測定した結果、ちょうど前記色度領域Ｈ内に位置する。前記測定した色度値が前記色度領域Ｈと前記色度領域Ｊ１との境界座標Ａｈ点（前記Ａｊ点に対応する点）に位置することが好ましい。従って、各々の境界色座標に対応する赤色修正グレースケール、青色修正グレースケール及び緑色修正グレースケールは、上述した原理で実験又は計算して獲得することができ、また、各々の境界座標に対応する赤色修正グレースケール、青色修正グレースケール及び緑色修正グレースケールは単に１つではない。例えば、前記境界色座標Ａｊ点に対応する赤色修正グレースケール、青色修正グレースケール及び緑色修正グレースケールは、２２０、２５５、２２２であることができ、又は２２１、２５４、２２０であることもできる。
【００２１】
前記計算ユニット１２３は、前記色度値、前記色度値が位置する色度領域の４つの境界座標及び各々の境界座標に対応する予め設定された修正グレースケールに基づいて、内部に設定されている画像データ修正公式で、全白画面の画像修正データを計算する。前記画像データが赤色画像データ（Ｒ  Ｄａｔａ）、緑色画像データ（Ｇ  Ｄａｔａ）及び青色画像データ（Ｂ  Ｄａｔａ）を含むので、前記計算ユニット１２３には、前記赤色画像データ、前記緑色画像データ及び前記青色画像データに対応する３つの画像データ修正公式が設定されている。また、前記赤色画像データ、前記緑色画像データ及び前記青色画像データにおいて、ある１つの画像データに修正が必要ない場合、前記計算ユニット１２３には他の２つの画像データに対応する画像データ修正公式のみが設定されることもできる。
【００２２】
それぞれ前記赤色画像データ、前記緑色画像データ及び前記青色画像データに対応する３つの画像データ修正公式は、以下と同じである。
【００２３】
【数１】
2011085911.tif 000003
【００２４】
【数２】
2011085911.tif 000004
【００２５】
【数３】
2011085911.tif 000005
【００２６】
その中で、Ｒは赤色画像修正データであり、Ｇは緑色画像修正データであり、Ｂは青色画像修正データである。ｒ１、ｒ２、ｒ３、ｒ４は、それぞれ４つの境界色座標と前記実際色度値（Ｘ０，Ｙ０）との距離（この距離は、座標系における２つ点間の距離公式［数４］によって得る）を指す。Ｒ１、Ｒ２、Ｒ３、Ｒ４は、それぞれ４つの境界色座標に対応する予め設定された修正グレースケールにおける赤色修正グレースケールを指し、Ｇ１、Ｇ２、Ｇ３、Ｇ４は、それぞれ４つの境界色座標に対応する予め設定された修正グレースケールにおける緑色修正グレースケールを指し、Ｂ１、Ｂ２、Ｂ３、Ｂ４は、それぞれ４つの境界色座標に対応する予め設定された修正グレースケールにおける青色修正グレースケールを指す。
【００２７】
【数４】
2011085911.tif 000006
【００２８】
前記出力ユニット１２４は、前記画像修正データを前記選択回路１１３に出力する。前記選択回路１１３が第二制御信号を受信した場合、前記画像修正データを前記データ処理器１３に提供する。
【００２９】
図３は、前記液晶表示装置１の駆動方法の流れ図である。以下は、前記液晶表示装置１の作業原理である。
【００３０】
（一）画像データが全白画面であるか否かを判断する。具体的には、以下のように説明される。
【００３１】
前記データラッチ１１１は、画像データを受信及び一時的に記憶してから、前記画像データを順序に前記データ分析器１１２に出力する。前記画像データは、低電圧差動信号であることができる。
【００３２】
前記データ分析器１１２は、受信した前記画像データが全白画面であるか否かを判断する。その中で、前記画像データにおける前記赤色画像データのグレースケールが２５５であり、前記緑色画像データのグレースケールが２５５であり、前記青色画像データのグレースケールが２５５である時、前記画像データは全白画面であり、前記画像データにおける前記赤色画像データ、前記緑色画像データ、前記青色画像データの中の任意の１つのグレースケールが２５５ではない時、前記画像データは非全白画面である。
【００３３】
（二）前記画像データが非全白画面である時、前記画像データに対してデータ処理を行い、前記画像データが全白画面である時、画像修正データを提供し、前記画像修正データに対してデータ処理を行う。その中で、前記画像修正データは、前記液晶表示装置１の実際色度値、前記実際色度値が位置する色度領域の４つの境界色座標及び各々の境界色座標に対応する予め設定された修正グレースケールに基づいて、計算される。具体的には、以下のように説明される。
【００３４】
前記画像データが非全白画面である時、前記データ分析器１１２は前記選択回路１１３に第一制御信号を出力し、前記画像データが全白画面である時、前記データ分析器１１２は前記選択回路１１３に第二制御信号を出力する。
【００３５】
前記第一記憶素子１２１は、内部に記憶されている色度値を前記第二記憶素子１２２に提供する。前記第二記憶素子１２２は、前記色度値に基づいて前記色度値が位置する色度領域の４つの境界色座標及び各々の境界色座標に対応するの予め設定された修正グレースケールを探し出す。
【００３６】
前記色度値、前記色度値が位置する色度領域の４つの境界色座標及び各々の境界色座標に対応するの予め設定された修正グレースケールが前記計算ユニット１２３に出力されると、前記計算ユニット１２３は、内部に設定されている３つの画像データ修正公式で、それぞれ画像修正データ（即ち、赤色画像修正データ、緑色画像修正データ及び青色画像修正データ）を計算して獲得した後、前記画像修正データを前記出力ユニット１２４に出力する。前記出力ユニット１２４は、受信した前記画像修正データを前記選択回路１１３に出力する。
【００３７】
また、本発明において、赤色画像データ及び青色画像データを優先的に修正する時、前記計算ユニット１２３の内部には、赤色画像データ修正公式及び青色画像データ修正公式が設定されており、且つ前記計算ユニット１２３が赤色画像修正データ及び青色画像修正データを計算して獲得した後、前記計算ユニット１２３は、前記赤色画像修正データ、緑色画像データ及び前記青色画像修正データを前記出力ユニット１２４に出力する。その中で、前記緑色画像データは修正しなかったので、そのグレースケールは２５５である。
【００３８】
前記選択回路１１３が第一制御信号を受信した時（即ち、前記データ分析器１１２が、画像データを非全白画面であると判断した時）、前記選択回路１１３は、前記データラッチ１１１が出力した画像データを直接前記データ処理器１３に提供する。前記選択回路１１３が第二制御信号を受信した時（即ち、前記データ分析器１１２が、画像データを全白画面であると判断した時）、前記データ分析器１１２は、前記グレースケール修正回路１２の出力ユニット１２４が出力した画像修正データを前記を前記データ処理器１３に提供する。
【００３９】
前記画像データ又は前記画像修正データに対して処理を行うことは、前記画像データ又は前記画像修正データをグレースケール電圧に変換すると共に他の表示駆動信号を生成して、画面の表示を実現することを含む。これを以下のように説明する。
【００４０】
前記データ処理器１３は、受信した画像データ又は画像修正データに基づいてグレースケール電圧及び複数の表示駆動信号（例えば、スキャン電圧信号、共有電圧信号、クロック制御信号等）を生成し、前記グレースケール電圧及び前記複数の表示駆動信号を液晶表示パネル１０に出力して、前記液晶表示パネル１０に画面を表示する。
【００４１】
従来の技術に比べると、本発明に係る液晶表示装置１において、前記制御回路１１は画像データが全白画面であるか否かを判断し、前記画像データが全白画面である時、前記グレースケール修正回路１２は前記液晶表示装置１の実際色度値、前記実際色度値が位置する色度領域の４つの境界色座標及び各々の境界色座標に対応する予め設定された修正グレースケールに基づいて、前記画像修正データを計算して獲得し、前記データ処理器１３は前記画像修正データに基づいてグレースケール電圧及び他の表示駆動信号を出力して、液晶表示パネル１０の表示を実現する。即ち、前記実際色度値が規定された色度領域に所属しない場合、赤色画像データ、緑色画像データ、青色画像データ及び前記赤色画像データ、前記緑色画像データ、前記青色画像データに対応する各グレースケール電圧を修正することを通して、赤色画像、緑色画像、青色画像の混光比例を変化させて、全白画面の偏色現像を改善する。
【００４２】
図４は、本発明の第二実施例に係る液晶表示装置の回路のブロック図である。本実施例に係る液晶表示装置２と第一実施例に係る液晶表示装置１との異なることは、本実施例におけるグレースケール修正回路２２が画像修正データを記憶する第三記憶素子２２５を備えることである。前記画像修正データは、第一実施例における赤色画像修正データ、緑色画像修正データ、青色画像修正データと同じ画像修正データである。即ち、前記画像修正データも、前記液晶表示２の実際色度値、前記実際色度値が位置する色度領域の４つの境界色座標及び各々の境界色座標に対応する予め設定された修正グレースケールに基づいて、前記画像修正データを計算して獲得し、且つ前記液晶表示装置２の製造過程又はテスト過程で前記第三記憶素子２２５に記憶される。制御回路２１が、画像データが全白画面であると判断する時、前記第三記憶素子２２５における画像修正データはデータ処理器２３に提供される。
【００４３】
第一実施例に係る液晶表示装置１と比較すれば、本実施例に係る液晶表示装置２は、構造がより簡単である。
【００４４】
図５は、本発明の第三実施例に係る液晶表示装置の回路のブロック図である。本実施例に係る液晶表示装置３と第一実施例に係る液晶表示装置１との異なることは、本実施例におけるグレースケール修正回路３２が第四記憶素子３２６、計算ユニット３２３及び出力ユニット３２４を備え、前記液晶表示装置３が色度検出回路３４をさらに備えることである。前記第四記憶素子３２６は、第一実施例における第二記憶素子１２２と同じで、前記計算ユニット３２３及び前記出力ユニット３２４は、それぞれ第一実施例における計算ユニット１２３及び出力ユニット１２４と同じである。前記色度検出回路３４は、前記第四記憶素子３２６に電気接続されて、前記液晶表示装置３の実際色度値を検出し、且つ前記実際色度値をグレースケール修正回路３２に出力する。
【００４５】
第一実施例に係る液晶表示装置１と比較すれば、本実施例に係る液晶表示装置３において、前記色度検出回路３４で第一実施例における第一記憶素子１２１を代替するので、製造過程又はテスト過程で前記液晶表示装置３の実際色度値を検出する必要がない。従って、製造プロセスを低減し、製造時間を節約する。
【００４６】
しかし、本発明に係る液晶表示装置は、上述した実施例だけに限定されることではない。例えば、前記第一実施例において、赤色画像データ、青色画像データだけに対して修正を行い、緑色画像データに対して修正を行わない時、以下のような公式が記憶される。
【００４７】
【数５】
2011085911.tif 000007
【００４８】
【数６】
2011085911.tif 000008
【００４９】
【数７】
2011085911.tif 000009
【００５０】
その中で、Ｒは赤色画像修正データであり、Ｇは緑色画像修正データであり、Ｂは青色画像修正データである。ｒ１、ｒ２、ｒ３、ｒ４は、それぞれ４つの境界色座標と前記実際色度値との距離を指す。Ｒ１、Ｒ２、Ｒ３、Ｒ４は、それぞれ４つの境界色座標に対応する予め設定された修正グレースケールにおける赤色修正グレースケールを指し、Ｂ１、Ｂ２、Ｂ３、Ｂ４は、それぞれ４つの境界色座標に対応する予め設定された修正グレースケールにおける青色修正グレースケールを指す。
【００５１】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００５２】
１      液晶表示装置
１０    液晶表示パネル
１１    制御回路
１１１  データラッチ
１１２  データ分析器
１１３  セレクター
１２    グレースケール修正回路
１２１  第一記憶素子
１２２  第二記憶素子
１２３  計算ユニット
１２４  出力ユニット
１３    データ処理器
２      液晶表示装置
２１    制御回路
２２    グレースケール修正回路
２２５  第三記憶素子
２３    データ処理器
３      液晶表示装置
３２    グレースケール修正回路
３２３  計算ユニット
３２４  出力ユニット
３２６  第四記憶素子
３４    色度検出回路
【図１】
2011085911.tif 000014
【図２】
2011085911.tif 000015
【図３】
2011085911.tif 000016
【図４】
2011085911.tif 000017
【図５】
2011085911.tif 000018